(57)【要約】 【課題】  情報提供者と情報閲覧者とが適切に連絡を取ることが可能な電話装置を提供する。【解決手段】  制御装置２０は、操作ボタン１１などの入力操作によって、電話装置の状態が切り替わると、予め定める対応関係に応じて、掲載情報記憶装置５０に記憶された複数の表示情報から、１つの表示情報を選択し、選択した表示情報をネットワークを介して情報閲覧者のＰＣなどに送信可能とする。これにより情報閲覧者が閲覧する情報の表示態様が変化し、情報提供者との連絡が取り易くなる。【選択図】      図１
2008167069.tif 000002
【特許請求の範囲】
【請求項１】
接続先を、ネットワークと公衆電話回線網とにそれぞれ接続できる制御手段と、
操作手段によって各種の状態を切り替えることが可能な切替手段と、
を含む電話装置であって、
前記ネットワークに接続され、相手先とデータ通信を行うデータ通信手段と、
前記公衆電話回線網に接続され、電話通信を行う電話通信手段と、
データ通信の相手先からの要求に応じて、前記ネットワークに送信する情報を記憶する記憶手段と、をさらに含み、
前記ネットワークに送信する情報は、通信装置を識別するための識別情報であり、
前記記憶手段は、前記識別情報の表示態様が異なる複数の表示情報を記憶し、
前記制御手段は、前記切替手段によって電話装置の状態が切り替わると、予め定める対応関係に応じて、前記記憶手段に記憶された複数の表示情報から、１つの表示情報を選択し、選択した表示情報を前記ネットワークに送信可能とすることを特徴とする電話装置。
【請求項２】
さらに、留守番電話機能を実行する留守番電話手段を有することを特徴とする請求項１に記載の電話装置。
【請求項３】
前記電話装置の状態は、少なくとも通話中の状態、留守番電話機能が有効な状態を含むことを特徴とする請求項２に記載の電話装置。
【請求項４】
前記電話装置の状態は、呼び出しに対して応答しない状態であることを特徴とする請求項１または２に記載の電話装置。
【請求項５】
前記識別情報は、電子メールアドレスであることを特徴とする請求項１〜４のいずれか１つに記載の電話装置。
【請求項６】
前記識別情報は、電話番号であることを特徴とする請求項１〜４のいずれか１つに記載の電話装置。
【請求項７】
前記表示態様は、電話番号に設定されたアンカー表示であることを特徴とする請求項６に記載の電話装置。
【発明の詳細な説明】
【技術分野】
【０００１】
本発明は、電話装置に関するものである。
【背景技術】
【０００２】
公衆の不特定人あるいは特定の人に対し、情報を発信するため、インターネットのサイト上に各種の情報を載せることが、よく行われている。
【０００３】
サイトが、商品の販売やサービスの提供などを行う企業によって運営されるサイトであった場合、このサイト上に掲載される掲載情報には、たとえば店舗やサービスセンターの電話番号などが挙げられる。この掲載情報は、サイト上で常時閲覧可能なため、興味を持ったサイトの閲覧者が曜日や時間帯に関わらず、掲載されている電話番号に電話をすることが考えられる。
【０００４】
しかし、営業時間外に電話をしても接続できなかったり、接続できたとしても、テープなどに録音された営業時間外である旨のメッセージが流れるだけである場合が多い。これは、必要なときに適切に連絡を取り合えない状況を意味し、顧客となる閲覧者および情報提供者である企業のお互いにとって大きな問題となる。
【０００５】
特許文献１は、留守番電話の伝言音声をコンテンツ記述言語の形式で生成して、外部端末のＷｅｂブラウザ上に表示し、コンテンツ中のアンカを選択するだけで、伝言音声を聴取できる技術を開示している。また、特許文献２は、Ｗｅｂサーバ機能を有する電話機が、留守番電話の留守録内容をデジタルファイルとして保存し、この電話機にアクセスした携帯電話やパソコンがインターネットを通じて留守録内容のファイルをダウンロードすることを可能とする技術を開示している。
【０００６】
【特許文献１】特開２００３−２８３６４８号公報
【特許文献２】特開２００５−１８４３２６号公報
【発明の開示】
【発明が解決しようとする課題】
【０００７】
特許文献１，２に開示されているいずれの技術においても伝言内容を、単にＷｅｂブラウザで表示可能としたり、ダウンロードを行うことを可能とするもので、サイトの閲覧者と情報提供者がどのように連絡を取り合えるのか、その条件を明示するものではない。このため、特許文献１，２記載の技術を用いたとしてもお互いに連絡を取り合える状況を生み出すことはできない。
【０００８】
本発明は、上記の点に鑑みなされたもので、その場の状況に応じて、適切に連絡の取り合える状況および条件についてウェブブラウザ上に表示可能とするものである。
【０００９】
本発明の目的は、情報提供者と情報閲覧者とが適切に連絡を取ることが可能な電話装置を提供することである。
【課題を解決するための手段】
【００１０】
本発明は、接続先を、ネットワークと公衆電話回線網とにそれぞれ接続できる制御手段と、
操作手段によって各種の状態を切り替えることが可能な切替手段と、
を含む電話装置であって、
前記ネットワークに接続され、相手先とデータ通信を行うデータ通信手段と、
前記公衆電話回線網に接続され、電話通信を行う電話通信手段と、
データ通信の相手先からの要求に応じて、前記ネットワークに送信する情報を記憶する記憶手段と、をさらに含み、
前記ネットワークに送信する情報は、通信装置を識別するための識別情報であり、
前記記憶手段は、前記識別情報の表示態様が異なる複数の表示情報を記憶し、
前記制御手段は、前記切替手段によって電話装置の状態が切り替わると、予め定める対応関係に応じて、前記記憶手段に記憶された複数の表示情報から、１つの表示情報を選択し、選択した表示情報を前記ネットワークに送信可能とすることを特徴とする電話装置である。
【００１１】
また本発明は、さらに、留守番電話機能を実行する留守番電話手段を有することを特徴とする。
【００１２】
また本発明は、前記電話装置の状態は、少なくとも通話中の状態、留守番電話機能が有効な状態を含むことを特徴とする。
【００１３】
また本発明は、前記電話装置の状態は、呼び出しに対して応答しない状態であることを特徴とする。
【００１４】
また本発明は、前記識別情報は、電子メールアドレスであることを特徴とする。
また本発明は、前記識別情報は、電話番号であることを特徴とする。
【００１５】
また本発明は、前記表示態様は、電話番号に設定されたアンカー表示であることを特徴とする。
【発明の効果】
【００１６】
本発明によれば、制御手段によって接続先を、ネットワークと公衆電話回線網とにそれぞれ接続可能であり、また操作手段によって電話装置における各種の状態を切り替えることができる電話装置である。
【００１７】
ネットワークに送信する情報を、通信装置を識別するための識別情報としたとき、記憶手段には、前記識別情報の表示態様が異なる複数の表示情報を記憶する。
【００１８】
前記制御手段は、操作手段の操作によって、電話装置の状態が切り替わると、予め定める対応関係に応じて、前記記憶手段に記憶された複数の表示情報から、１つの表示情報を選択し、選択した表示情報を前記ネットワークに送信可能とする。
【００１９】
これにより、ネットワークへの情報提供者であるか、または情報提供者の意思に沿って電話装置を操作する操作者が、不在の場合などの情報提供者側の都合によって電話装置の着信への対応が変化するときに状態の切り替えを行うと、情報閲覧者の要求に応じてネットワークへ送信される識別情報の表示態様を変更することができ、情報閲覧者と情報提供者との連絡が取り易く、情報提供者と情報閲覧者とが適切に連絡を取ることができる。
【００２０】
また本発明によれば、さらに、留守番電話機能を実行する留守番電話手段を有しており、電話装置の着信に対応できないようなときは、留守番電話機能を実行させて対応することができる。
【００２１】
また本発明によれば、前記電話装置の状態は、少なくとも通話中の状態、留守番電話機能が有効な状態を含む。通話中の状態および留守番電話機能が有効な状態の場合には、そのことを示すような表示態様の表示情報を選択することで情報提供者と情報閲覧者とが適切に連絡を取ることができる。
【００２２】
また本発明によれば、前記電話装置の状態は、呼び出しに対して応答しない状態、たとえば非通知発信の場合に応答しない状態であり、そのような状態に切り替わると、応答しない旨を示す表示態様の表示情報を選択することで情報提供者と情報閲覧者とが適切に連絡を取ることができる。
【００２３】
また本発明によれば、前記識別情報として、電子メールアドレス、または電話番号を表示し、その表示態様を変えることで、情報提供者の状態を反映させた表示ができる。
【００２４】
また本発明によれば、前記表示態様は、電話番号に設定されたアンカー表示である。アンカー表示を変えることで、表示する内容は大きく変えずに、情報提供者の状態を反映させた表示ができる。
【発明を実施するための最良の形態】
【００２５】
図１は、本発明の実施形態の一例を示す構成図である。情報提供者の留守番電話機１０は、たとえば操作ボタン群１１と留守ボタン１２と設定ボタン１３と再生ボタン１４と録音ボタン１５とを含み、制御装置２０、網制御装置３０、ＷＷＷ制御装置４０および掲載情報記憶装置５０とから構成される。
【００２６】
制御装置２０は、電話通信によって相手先電話機(情報閲覧者側)と通話するときは留守番電話機１０を、網制御装置３０を介して公衆電話回線網に接続する。網制御装置３０は、公衆電話回線網に接続して交換機と通信を行い、所定のプロトコルに従って、電話通信の制御を行う。
【００２７】
また、サイトを閲覧するときは、ＷＷＷ制御装置（以下では、「Ｗｅｂサーバ」と言う。）４０を動作させ、ルータ４１などを通じてインターネットなどのネットワークに接続してデータ通信を行う。Ｗｅｂサーバ４０は、上記のように留守番電話機１０がネットワークに接続し、各種デジタルデータを送受信するときに、所定のプロトコルに従ってデータ通信の制御を行う。制御装置２０では、この網制御装置３０とＷＷＷ制御装置４０とにそれぞれ接続を行う。場合によっては、この網制御装置３０とＷＷＷ制御装置４０とを上述の場合に応じて切り換えてもよい。
【００２８】
そして、掲載情報記憶装置５０は、制御装置２０とＷｅｂサーバ４０を介し、ユーザのコンピュータ（ＰＣ）で起動されたＷｅｂブラウザによって表示するための掲載情報を記憶している。
【００２９】
Ｗｅｂサーバ４０は、閲覧者のＰＣからインターネットを通じてアドレスを指定され、どの記憶領域に存在する、どのファイルが必要なのか要求を受けると、掲載情報記憶装置５０の指定された記憶領域を検索し、ファイルが見つかると、Ｗｅｂサーバ４０はインターネットを通じてＨＴＭＬ（HyperText Markup Language）形式で記述されたテキスト文書であるＨＴＭＬファイルのデータを、アドレス指定したＰＣに対して送信する。閲覧者のＰＣで起動されるＷｅｂブラウザはこのＨＴＭＬファイルのデータを受け取り、記述されている内容にしたがって、文書の掲載情報をデイスプレイ上に表示する。ここで、ファイル名の後ろにつく拡張子がｈｔｍｌまたはｈｔｍでないファイルについては、それぞれ決められた処理をＷｅｂサーバ４０内で行ってから表示用のＨＴＭＬファイルに変換して送り出すようになっている。
【００３０】
図２は、通信装置の一つである留守番電話機１０の状態遷移を説明する概略図である。一例として、待機状態から後述する掲示パターンａ〜ｃの設定を行うことを想定している。状態については、状態０から状態４までの５つが存在する。留守番電話機１０の状態とは、電話機の動作モードを示しており、設定された状態に応じて留守番電話機１０の予め定められた部位が動作することで、動作モードが切り替わる。状態の切り替えは、留守番電話機１０が備える各種ボタンの入力によって行われる。入力されるボタンの種類と、各状態とが関連付けられたテーブルなどを掲載情報記憶装置５０の所定の記憶領域に記憶しておき、ユーザによってボタンが押されると、テーブルを参照して切り替えるべき状態を決定する。
【００３１】
状態０は待機状態、状態１は留守状態、状態２は通話中状態、状態３は非通知お断り状態、状態４は留守非通知お断り状態である。待機状態は、非通話中の呼び出し待機状態である。留守状態は、留守番電話機能を実行可能な待機状態である。通話中状態は、公衆電話回線網に接続し、交換機を介して相手先電話機と通話している状態である。非通知お断り状態は、相手先電話機が、自機の識別情報である電話番号を通知しない、いわゆる非通知の着信があった場合には、呼び出しを行わない待機状態である。留守非通知お断り状態は、非通知の着信があった場合、留守番電話機能を実行しない待機状態である。
【００３２】
電話装置１０が待機状態において、設定ボタン１３と操作ボタン群１１の「１」が押されると、掲載パターンａが設定される。設定ボタン１３と操作ボタン群１１の「２」が押されると、掲載パターンｂが設定される。設定ボタン１３と操作ボタン群１１の「３」が押されると、掲載パターンｃが設定される。設定ボタン１３と操作ボタン群１１の「４」が押されると、掲載パターンｄが設定される。設定ボタン１３と操作ボタン群１１の「５」が押されると、掲載パターンｅが設定される。設定ボタン１３と操作ボタン群１１の「８」が押されると、状態４の留守非通知お断り状態に設定される。この留守非通知お断り状態を解除する場合は、設定ボタン１３と操作ボタン群１１の「９」を押す。
【００３３】
このような設定・解除については、留守状態で行うことも可能である。
そして、留守ボタン１２が押されると、留守ボタン１２の図示しないランプが点灯して、状態１の留守状態に設定される。
【００３４】
掲載パターンとは、ウェブブラウザに表示する掲載情報の種類であって、たとえば、留守番電話機１０の電話番号、電子メールアドレス、閲覧者に対するメッセージなどを含み、掲載情報記憶装置５０には、パターンごとに対応するファイルが記憶されている。本実施形態では、掲載パターンａに対してファイルＡ、掲載パターンｂに対してファイルＢ、掲載パターンｃに対してファイルＣ、掲載パターンｄに対してファイルＤ、掲載パターンｅに対してファイルＥ、掲載パターンｘに対してファイルＸがそれぞれ記憶されている。この掲載パターンｘについては、掲載パターンａ〜ｅが設定されていない、いわゆるデフォルトの状態である。
【００３５】
状態０の待機状態で、設定ボタン１３と操作ボタン群１１の「８」を押すと、状態３の非通知お断り状態３に設定される。状態３を解除するためには、設定ボタン１３と操作ボタン群１１の「９」を押す。
【００３６】
留守番電話機１０の状態が切り替わったときに、その状態に応じて掲載情報記憶装置５０に設定されるファイルが切り替わる。ＰＣから留守番電話機１０に対してアクセスがあった場合、閲覧者のＰＣで起動されたブラウザには、設定されたファイルに応じた掲載情報が表示されることになる。したがって、留守番電話機１０の状態に応じて閲覧者のＰＣで起動されたブラウザに表示される情報が変化するので、情報提供者の都合がサイトの掲載情報に反映され、サイトの閲覧者と情報提供者との連絡が取り易くなる。
【００３７】
図３は閲覧者のＰＣから留守番電話機１０に対してアクセスがあった場合から、その時の留守番電話機１０の状態に応じて、予め決められた掲載パターンを出力するまでの制御装置２０で行われる動作を示すフローチャートである。因みに一例として、留守状態時の掲載パターンは掲載パターンａ，ｂ，ｃの３つ、通話中状態時の掲載パターンは掲載パターンｄの１つ、非通知お断り状態時の掲載パターンは掲載パターンｅの１つの場合を示している。この留守状態、通話中状態、非通知お断り状態の各状態における掲載パターンの数については、この例に限定されない。
【００３８】
先ず、上述の掲載パターンａ〜ｅが既に設定されているステップＳ０において、閲覧者のＰＣから留守番電話機１０に対してアクセスがあるとステップＳ１に進む。ステップＳ１において、留守状態か否かがチェックされ、つまり留守ボタン１２が押され留守状態となっているか否かがチェックされて、留守状態（Ｓ１でＹＥＳ）ならばステップＳ２に進み、留守状態でなければ（Ｓ１でＮＯ）ステップＳ３に進む。ステップＳ２では、設定されている掲載パターンを判定する。
【００３９】
すなわち、設定されている掲載パターンがａの場合はステップＳ４に進み、設定されている掲載パターンがｂの場合はステップＳ５に進み、設定されている掲載パターンがｃの場合はステップＳ６に進む。
【００４０】
ステップＳ４ではファイルＡを設定し、掲載パターンａを選択する。ステップＳ５ではファイルＢを設定し、掲載パターンｂを選択する。ステップＳ６ではファイルＣを設定し、掲載パターンｃを選択する。
【００４１】
次に、ステップＳ３では、通話中状態か否かがチェックされ、通話中状態（Ｓ３でＹＥＳ）ならばステップＳ７に進み、通話中状態でなければ（Ｓ３でＮＯ）ステップＳ８に進む。
【００４２】
ステップＳ７ではファイルＤを設定し、掲載パターンｄを選択する。
ステップＳ８では、非通知お断り状態か否かがチェックされ、非通知お断り状態（Ｓ８でＹＥＳ）ならばステップＳ９に進み、非通知お断り状態でなければ（Ｓ８でＮＯ）ステップＳ１０に進む。
【００４３】
ステップＳ９ではファイルＥを設定し、掲載パターンｅを選択する。ステップＳ１０ではファイルＸを設定し、掲載パターンｘを選択する。最後にステップＳ１１に進み、そのとき設定された掲載パターンをＷｅｂサーバ４０に出力し、閲覧者のＰＣで起動されたブラウザを通じて選択された掲載パターンを表示させ、ステップＳ１２に進み、終了させる。
【００４４】
図４は、前述の各掲載パターンと具体的な掲載内容の表示の一例を示す表である。ブラウザで表示される掲載内容は、一番右の欄に記載されている。ここで、下線が付されているものには、アンカーが設定されている。
【００４５】
図５は、各掲載パターンと、ＨＴＭＬ表示と、掲載内容として表示される掲載情報記憶装置５０の記憶内容との関係を示す表である。留守番電話機１０を操作する者は、商品の販売、サービスの提供などを行う企業に属し、営業時間、対応内容などに応じて留守番電話機１０の状態を切り替える。
【００４６】
図５（ａ）は、営業中であって留守状態に設定されていない場合に掲載される内容である。電話番号と電子メールアドレスを掲載し、それぞれにアンカーが設定されている。図５（ｂ）は、営業中でなく留守状態に設定されている場合に掲載されるパターンａの内容である。電子メールアドレスを掲載しているが、電話番号は掲載しない。図５（ｃ）は、営業中でなく留守状態に設定されている場合に掲載されるパターンｂの内容である。電話番号と電子メールアドレスを掲載し、それぞれにアンカーが設定されている。図５（ａ）の場合に掲載した電話番号とは異なる電話番号を掲載する。営業時間外でも連絡が取れるような電話番号を掲載することで、閲覧者がより連絡を取り易くなる。
【００４７】
図５（ｄ）は、営業中でなく留守状態に設定されている場合に掲載されるパターンｃの内容である。電話番号と電子メールアドレスを掲載しているが、電話番号にはアンカーが設定されていない。図５（ｅ）は営業中であるが通話中である場合に掲載されるパターンｄの内容である。電話番号と電子メールアドレスを掲載しているが、電話番号にアンカーが設定されてなく、「しばらくお待ちください」の旨の文章を掲載する。図５（ｆ）は営業中であるが非通知お断りに状態に設定されている場合に掲載されるパターンｅの内容である。電話番号と電子メールアドレスを掲載し、「電話番号を通知しておかけください」の旨の文章を掲載する。
【００４８】
掲載情報の記述言語としては、たとえばＨＴＭＬが使用される。
電話番号を掲載する場合では、
０１２３−４５６−７８９＜ｂｒ＞
と記述すると、アンカーは設定されないが、
＜ａ  ｈｒｅｆ＝″ｔｅｌｔｏ：０１２３−４５６−７８９″＞０１２３−４５６−７８９＜／ａ＞＜ｂｒ＞
とリンクタグを使って記述すると、アンカーが設定され、ブラウザ表示を行っている端末装置において、記述部分が選択されると、直ちに電話をかけることができる。
【００４９】
つまり、タグのより詳細な指定を行う指定子のアトリビュート名「ｈｒｅｆ」のアトリビュート値において、「ｔｅｌｔｏ：電話番号」を指定することで、ブラウザの電話発信のためのダイアログをオープンし、電話発着信機能を持つＰＣ、携帯電話機などでは、表示されている電話番号を選択するだけで当該番号を自動でダイヤルし、電話をかけることができる。
【００５０】
図６は、記憶装置５０に記憶されている掲載情報の格納状態を示す図である。制御装置２０から表示要求があった場合には、掲載情報記憶装置５０内の番地１の「ｉｎｄｅｘ．ｈｔｍｌ」を掲載情報として送信するように構成している。そして、予め「ａ．ｈｔｍｌ」「ｂ．ｈｔｍｌ」「ｃ．ｈｔｍｌ」「ｄ．ｈｔｍｌ」「ｅ．ｈｔｍｌ」「ｘ．ｈｔｍｌ」などのファイルを、番地毎に用意しておき、掲載情報記憶装置５０に記憶している。状態の切り替えが行われ、たとえば図３のステップＳ４において、ファイルＡが設定されると、これを掲載用に定められたファイル名でコピーする。すなわち、番地２の「ａ．ｈｔｍｌ」を番地１に「ｉｎｄｅｘ．ｈｔｍｌ」との名前でコピーする。これによって、「ａ．ｈｔｍｌ」の内容がサイト上で閲覧可能な状態となる。このようにＨＴＭＬで記述すれば、上記のように電話番号にアンカーを設定することができ、これを選択することによって、わざわざ番号を入力しなくても電話がつながる仕組みになっている。
【００５１】
図７は、ブラウザによって表示されるウェブページの一例を示す図である。図７では、表示されるウェブページのうち、留守番電話機１０の状態が変化したときに掲載する情報が変化する部分のみを示している。
【００５２】
図７（ａ）は、情報提供者が、電話を受けることができる状態の場合に表示されるページであって、電話番号を掲載し、メール送信のためのリンクが張られている。情報提供者が留守などで電話を受けられないときには、留守番電話機１０を操作して状態を変更することで、掲載するデータを自動的に変更し、図７（ｂ）に示すように、電話番号を掲載せず、閲覧者が電話を掛けられないようにするか、または図７（ｃ）に示すように、受けられる電話番号に変更する。閲覧者は電話番号が掲載されている場合には、常に電話連絡が有効であって、電話をかけたけれども連絡が取れないような無駄なことは生じない。
【００５３】
情報提供者にとっては、営業時間が終わるときに留守番電話機１０を留守状態に設定にすれば、有効な電話番号に切り替わるため、閲覧者が望めば連絡が取り合えて、営業目的を達成することができる。
【００５４】
留守番電話機では、外出時に留守状態に設定すれば、それに連動してウェブページへの掲載内容も直ちに変更できる。また、通話中には電話番号を表示しないか、「しばらくお待ちください」など通話中で電話に出ることができない旨のメッセージの表示を行い、閲覧者から無駄な呼び出しがかからないようにできる。
【００５５】
留守番電話機１０には、さまざまな設定があり、非通知お断り状態が設定されている場合は、「番号を通知しておかけください」など非通知の発信では、連絡が取れない旨のメッセージの表示を行い、ユーザ側に注意を喚起することもできる。以上のように、ウェブページには、留守番電話機１０で設定される状態に応じた表示を行うようにするのが望ましい。
【００５６】
Ｗｅｂサーバは、もともとユーザの要求に応じて、単にＨＴＭＬを配信するだけの静的処理を行う場合と、各ユーザに合った情報をより柔軟に提供する動的処理を行う場合がある。この動的処理については、Ｗｅｂサーバ側で対応する技術とＷｅｂブラウザ側で対応する技術が別々に存在する。
【００５７】
この実施形態では、Ｗｅｂサーバ側で処理する例を述べているが、Ｗｅｂブラウザ側で処理するようにすることもできる。
【００５８】
なお、通信装置としては、電話装置、コンピュータなど種々のものが考えられ、この通信装置を識別するための識別情報としては、電話番号や電子メールアドレスなどが想定される。
【００５９】
以上述べたように本発明の実施形態によれば、留守番電話機の使用状況に応じて、Ｗｅｂサーバでの掲載パターンを自動的に選択させるため、そのときの状況に一番相応しい表示を行うことができる。もし、電話番号が有効ならば、その番号を表示し、無効ならば表示しないので、紛らわしさを解消できる。設定のしやすさから、実施形態では留守番電話機を採用しているが、通常の電話機でもよく、必ずしも留守番電話機に限らない。
【００６０】
以上の説明では、Ｗｅｂサーバを電話機の機能の一部として設けている例を述べており、たとえばサーバ機能を実現するソフトウェアがインストールされたＷｅｂサーバ機能を有する制御装置を備えることで実現できる。なお、Ｗｅｂサーバは、留守番電話機とは別に設けられていてもよい。また、Ｗｅｂサーバを留守番電話機側に備えている例を挙げて述べているが、Ｗｅｂサーバを別途インターネット側に設けて、電話機側のデータをその都度アップロードするようにしてもよい。
【００６１】
掲載情報記憶装置に記憶されるファイルについては、プログラムによって表示要求の都度、電話機の状態や設定を基に作成することもできる。
【００６２】
この掲載情報の選択変更については、いろいろなタイミングで行うことが考えられる。たとえば、電話機の状態や設定が変化したとき、あるいは閲覧要求があったときなどである。電話機に文章作成機能を設けて、所定のタイミングでこの掲載情報を作成するようにしてもよい。
【図面の簡単な説明】
【００６３】
【図１】本発明の実施形態の一例を示す構成図である。
【図２】留守番電話機１０の状態や設定を説明する説明図である。
【図３】閲覧者のＰＣから留守番電話機１０に対してアクセスがあった場合に、掲載パターンを出力するまでの制御装置２０で行われる動作を示すフローチャートである。
【図４】各掲載パターンの一例を示す表である。
【図５】各掲載パターンとＨＴＭＬ表示と掲載情報記憶装置５０の記憶内容との関係を示す表である。
【図６】掲載情報記憶装置５０内における掲載情報の格納状態を示す図である。
【図７】ブラウザによって表示されるウェブページの一例を示す図である。
【符号の説明】
【００６４】
１０  留守番電話機
１１  操作ボタン群
１２  留守ボタン
１３  設定ボタン
１４  再生ボタン
１５  録音ボタン
２０  制御装置
３０  網制御装置
４０  Ｗｅｂサーバ
５０  掲載情報記憶装置
【図１】
2008167069.tif 000003
【図２】
2008167069.tif 000004
【図３】
2008167069.tif 000005
【図４】
2008167069.tif 000006
【図５】
2008167069.tif 000007
【図６】
2008167069.tif 000008
【図７】
2008167069.tif 000009